(57)【要約】      （修正有）【課題】ベルトに形状保持部材を備え、ベルトの自重による垂下を抑制した関節用装具を提供する。【解決手段】巻き付け用のベルトを備えた関節用装具は、平面状の本体部２と、本体部２の左右の縁部から一体として延伸する巻き付け用の複数のベルト３とを備え、ベルト３の縁部に形状保持部材６を備える。【選択図】図１
0003225698.tif 000002
【実用新案登録請求の範囲】
【請求項１】
巻き付け型の関節用装具において、
平面状の本体部と、
前記本体部の左右の縁部から一体として延伸する巻き付け用の複数のベルトと、を備え、
前記ベルトの縁部に形状保持部材を備えることを特徴とする関節用装具。
【請求項２】
前記本体部の縁部に形状保持部材を備えることを特徴とする請求項１に記載の関節用装具。
【請求項３】
使用者の大腿部両側方に配される大腿支柱と、前記大腿支柱を連結する大腿カフと、使用者の下腿部両側方に配される下腿支柱と、前記下腿支柱を連結する下腿カフと、前記大腿支柱と前記下腿支柱を連結して揺動可能とする継手部とを備える関節用装具において、
大腿部に巻き付ける大腿ベルトと、下腿部に巻き付ける下腿ベルトと、を備え、前記大腿ベルトおよび／または前記下腿ベルトの縁部に形状保持部材を備えることを特徴とする関節用装具。
【考案の詳細な説明】
【技術分野】
【０００１】
本考案は、形態安定性を有する締付ベルトを備えた関節用装具に関するものである。
【背景技術】
【０００２】
膝関節などの運動障害は、変形性膝関節炎症や関節炎、半月板損傷、リウマチ、或いは膝靱帯障害などに因ることが多いが、このような障害を持つ患者が立ったとき、また歩行するときに、膝関節に横ずれなどの負荷がかかると、激しい痛みによる苦痛に耐えなければならない。このような場合、関節部位を関節用サポーターによって圧迫、拘束することで関節の動揺を抑制し、痛みの発生を緩和する方法が採られている。
【０００３】
膝関節用のサポーターの形状の一つとして、巻き付け用のベルトが一体となったサポーターがよく知られている。例えば、本件の出願人は、特開２０００−１９７６５４号公報において、膝関節に装着するためのベルト一体型のサポーターの発明を開示している。ベルト一体型の膝関節用のサポーターは、巻き付け圧力の調整が自在であり、靴を履いたまま装着できるという利点がある。
【０００４】
膝関節の運動障害が重度である場合は、実開平４−３０５１４にて開示されている考案のように、膝の両側方で揺動可能な支柱を備え、支柱は、大腿部と下腿部に巻き付けられるベルトによって固定される構造の膝装具が用いられることがある。
【先行技術文献】
【特許文献】
【０００５】
【特許文献１】特開２０００−１９７６５４号公報
【特許文献２】実開平４−３０５１４号公報
【考案の概要】
【考案が解決しようとする課題】
【０００６】
ベルト一体型のサポーターの素材は多岐にわたるが、一般的に、ベルトおよびサポーター本体部はともに柔軟性や伸縮性を有している。ベルトおよびサポーター本体部の柔軟性は、一方では、巻き付け圧力の調整の自在性を実現するものの、他方では、ベルトおよびサポーター本体部の自重による垂下により、ベルトおよびサポーター本体部の取り扱いに大きな身体的負担がかかる場合がある。ベルトの垂下は、支柱付き装具においても同様に発生する。
【０００７】
そこで、本考案は、ベルトに形状保持部材を備え、ベルトの自重による垂下を抑制した関節用装具を提供することを目的とする。
【課題を解決するための手段】
【０００８】
本考案の関節用装具は、前記した目的を達成せんとするもので、請求項１の手段は、巻き付け用のベルトを備えた関節用装具において、平面状の本体部と、前記本体部の左右の縁部から一体として延伸する巻き付け用の複数のベルトと、を備え、前記ベルトの縁部に形状保持部材を備えることを特徴とする。
【０００９】
請求項２の手段は、本考案の関節用装具は、前記本体部の縁部に形状保持部材を備えることを特徴とする。
【００１０】
請求項３の手段は、使用者の大腿部両側方に配される大腿支柱と、前記大腿支柱を連結する大腿カフと、使用者の下腿部両側方に配される下腿支柱と、前記下腿支柱を連結する下腿カフと、前記大腿支柱と前記下腿支柱を連結して揺動可能とする継手部とを備える関節用装具において、大腿部に巻き付ける大腿ベルトと、下腿部に巻き付ける下腿ベルトと、を備え、前記大腿ベルトおよび／または前記下腿ベルトの縁部に形状保持部材を備えることを特徴とする。
【考案の効果】
【００１１】
請求項１および請求項３の構成を備える本考案の関節用装具は、形状保持部材の剛性によって装着用のベルトの自重による垂下が抑制され、ベルトおよび本体部の接合や位置合わせが容易である。さらに、請求項２の構成を備える本考案の関節用装具は、関節用装具全体として、巻き付けが容易な形状を保持することができる。
【図面の簡単な説明】
【００１２】
【図１】本考案の第１の実施例における関節用装具の平面図である。
【図２】本考案の第１の実施例における関節用装具の一部から形状保持部材を除いた状態を示す平面図である。
【図３】本考案の関節用装具に用いる形状保持部材の斜視図である。
【図４】本考案の第２の実施例における関節用装具の平面図である。
【図５】本考案の第３の実施例における関節用装具の全体図である。
【考案を実施するための形態】
【００１３】
以下、本考案を実施するための形態を図面とともに説明する。
【実施例１】
【００１４】
図１は、本実施例の関節用装具である膝用サポーター１の平面図である。膝用サポーター１は、平面状の本体部２と、本体部２の左右の縁部から一体として延伸する巻き付け用の複数のベルト３を備える。本体部２は、膝蓋骨を収めるための開口部４が設けられる。本体部２およびベルト３の縁部は、ほつれ防止のためにバイアステープ５で保護されている。形状保持部材６は、ベルト３の縁部に取り付けられるのが好ましい。より好ましくは、形状保持部材６は、本体部２の縁部にも取り付けられてもよい。本実施例の図１において、形状保持部材６は、本体部２およびベルト３の縁部かつ内部に取り付けられているが、ベルト３にのみ取り付けられていてもよい。
【００１５】
本実施例の形状保持部材６は、膝用サポーター１の外観には現れず、図１においては破線で示している。形状保持部材６を備えた膝用サポーター１は、本体部２および装着用のベルト３の材質に関わらず、自重による垂下が抑制され、立体的な形状を保持することができる。
【００１６】
本実施例の本体部２およびベルト３は、可撓性および伸縮性のある素材で構成され、素材としては、綿やウールをはじめとする天然の生地およびナイロンやポリウレタンの化学合成繊維にゴムを混紡した編布、織布または不織布といった布地、または、メッシュ状やスポンジ状に形成された伸縮性や通気性を有する合成樹脂体が好適であり、これらを組み合わせても良い。
【００１７】
また、本実施例の本体部２およびベルト３は、表面に面ファスナーが取り付けられており、巻き付けたときの形状を自在に調整できる構成としている。面ファスナーの図示は省略する。面ファスナーは、ベルト３の先端部が、同じベルト３の裏面部、本体部２、他のベルト３のいずれと接合しても良い。
【００１８】
図２は、膝用サポーター１の片側のベルト３から形状保持部材６を除いた状態を示す平面図である。自重によって垂下した膝用サポーター１のベルト３は、使用者の疾患によっては、取扱いが困難になることがある。形状を保持したベルト３であれば手が届きやすく、前回と同じ部位に装着するのであれば、ベルト３および本体部２の接合や位置合わせが容易である。
【００１９】
また、ベルト３のみならず、本体部２にも形状保持部材６を取り付けることによって、膝用サポーター１の全体の型崩れを抑制し、膝用サポーター全体として、巻き付けが容易な形状を保持することができる。
【００２０】
本実施例の形状保持部材６は、糸状または帯状塑性変形性のポリエチレン材料が好適である。ポリエチレン材料であれば、軽量であり、安全性が高い。ここでいうポリエチレン材料は、ポリエチレン単独、または、ポリエチレンに他のポリオレフィンが混合された混合物であり、原料としては、汎用ポリエチレンでも、超高分子量ポリエチレンでもよい。本考案の膝用サポーター１に用いる形状保持部材６は、三井化学株式会社によって商標名“テクノロート”で市販されている線材を用いることができる。
【００２１】
図３に示す形状保持部材６の斜視図は、形状保持部材６の一例であり、フィルム６ａで保護された糸状のプラスチック線材６ｂを表し、プラスチック線材６ｂが形状保持機能を備えている。形状保持部材６の本体部２およびベルト３への取り付けは、フィルム６ａを活かして縫合しても良いし、フィルム６ａを除去してプラスチック線材６ｂを繊維間に織り込んでも良い。
【実施例２】
【００２２】
図４は、本実施例の関節用装具である膝用サポーター１１の平面図である。膝用サポーター１１は、平面状の本体部１２と、本体部１２の左右の縁部から一体として延伸する巻き付け用の複数のベルト１３を備える。本体部１２は、膝蓋骨を収めるための開口部１４が設けられる。本体部１２およびベルト１３の縁部は、ほつれ防止のためにバイアステープ１５で保護されている。形状保持部材１６は、ベルト３の縁部に取り付けられている。
【００２３】
本実施例の膝用サポーター１１は、本体部１２に取り付ける形状保持部材１６の配置が実施例１とは異なり、形状保持部材１６を本体部１２の全周の縁部に取り付けることによって、形状の保持性をより高めたものである。ここでいう縁部は、バイアステープ１５に重なる位置に限定されず、本体部１２の形状の保持性を損なわない程度にやや内側に形状保持部材１６を取り付けても良い。他の構成については、実施例１と同様のため、説明は割愛する。
【実施例３】
【００２４】
図５は、本実施例の関節用装具である支柱付膝用装具２１の全体図である。支柱付膝用装具２１は、使用者の大腿部両側方に配される大腿支柱２２と、大腿支柱２２を連結する大腿カフ２３と、使用者の下腿部両側方に配される下腿支柱２４と、下腿支柱２４を連結する下腿カフ２５と、大腿支柱２２と下腿支柱２４を連結して揺動可能とする継手部２６とを備える。支柱付膝用装具２１は、大腿部に巻き付ける大腿ベルト２７と、下腿部に巻き付ける下腿ベルト２８を用いて、使用者の脚部に装着される。本実施例の支柱付膝用装具２１においては、膝の両側方に配される継手部２６の調整によって、膝の過伸展、過回旋等が抑制され、使用者の膝周りが保護される。
【００２５】
支柱付膝用装具２１の使用者の脚部への装着の一例として、大腿ベルト２７および下腿ベルト２８は、尾錠２９、３０に通し、大腿ベルト２７および下腿ベルト２８の内側の面の先端部および中央部近辺に設けた面ファスナーによって接合される。使用者は、面ファスナーを所望の位置で接合させることによって、締め付けを調整することができる。面ファスナーの図示は省略する。形状保持部材３１は、大腿ベルト２７および／または下腿ベルト２８の縁部に取り付けられる。図５の形状保持部材３１は、大腿ベルト２７と下腿ベルト２８の双方の縁部かつ内部に取り付けられている。
【００２６】
本実施例の形状保持部材３１は、支柱付膝用装具２１の外観には現れず、図５においては破線で示している。形状保持部材３１を備えた支柱付膝用装具２１は、装着用の大腿ベルト２７および下腿ベルト２８の材質に関わらず、自重による垂下が抑制され、立体的な形状を保持することができる。形状を保持した大腿ベルト２７および下腿ベルト２８であれば手が届きやすく、前回と同じ部位に装着するのであれば、締め付けの調整が容易である。形状保持部材３１の詳細については、実施例１と同様であるため、説明は割愛する。
【００２７】
以上、本考案の代表的と思われる実施例について説明したが、本考案は必ずしも実施例において述べた構造に限定されるものではなく、本考案にいう構成要件を備え、本考案にいう目的を達成しうる範囲内において適宜改変して実施する場合を包含するものである。
【産業上の利用可能性】
【００２８】
ポリエチレンを代表とする材料を形状保持部材として利用した本考案の膝用サポーターは、装着が容易であり、膝以外にも疾患を有する使用者をはじめとして、高齢者、あるいはリハビリを必要とする被介護者が無理なく簡単に装着できるサポーターとして有用である。特に、ベルトの部分に形状保持部材を取り付けることは、膝用にとどまらず、あらゆる部位のサポーターにおいても転用が可能であり、サポーターのみならず、包帯および被覆用品全般、さらには関節用装具全般に応用が可能である。
【符号の説明】
【００２９】
１…膝用サポーター。
２…本体部。
３…ベルト。
４…開口部。
５…バイアステープ。
６…形状保持部材、６ａ…フィルム、６ｂ…プラスチック線材。
１１…膝用サポーター。
１２…本体部。
１３…ベルト。
１４…開口部。
１５…バイアステープ。
１６…形状保持部材。
２１…支柱付膝用装具。
２２…大腿支柱。
２３…大腿カフ。
２４…下腿支柱。
２５…下腿カフ。
２６…継手部。
２７…大腿ベルト。
２８…下腿ベルト。
２９…尾錠。
３０…尾錠。
３１…形状保持部材。
【図１】
0003225698.tif 000003
【図２】
0003225698.tif 000004
【図３】
0003225698.tif 000005
【図４】
0003225698.tif 000006
【図５】
0003225698.tif 000007